(57)【要約】      （修正有）【課題】極めて単純な構造と単純な動作で、粘着テープの端部に不付着つまみを容易に形成することができる粘着テープカッター装置を提供する。【解決手段】粘着テープカッターのカッター部相当部位に、引き出した粘着テープ２の粘着面を上面で留めるテープ着留板４を立設し、このテープ着留板４の基部４ａには、上面部にカッター刃６とテープ着留面７を備える。離反方向に弾発付勢された着留兼カッター部５をテープ着留板４に対し接離可能に枢着し、着留兼カッター部５の離反位置での付勢力に抗する押圧により、テープ着留板４と着留兼カッター部５間にある粘着テープ２の粘着面をループ状に押し上げてその端部に不付着つまみを形成する。【選択図】図１
0003159386.tif 000002
【実用新案登録請求の範囲】
【請求項１】
粘着テープカッターのカッター部相当部位に、引き出した粘着テープの粘着面を上面で留めるテープ着留板を立設し、このテープ着留板の基部には、上面部にカッター刃とテープ着留面を備え、離反方向に弾発付勢された着留兼カッター部を前記テープ着留板に対し接離可能に枢着し、前記着留兼カッター部の離反位置での付勢力に抗する押圧で、前記テープ着留板と前記着留兼カッター部間にある前記粘着テープの粘着面をループ状に押し上げその端部に不付着つまみを形成することを特徴とする粘着テープカッター装置。
【請求項２】
前記テープ着留板の上面は凹凸状に形成されている請求項１に記載の粘着テープカッター装置。
【請求項３】
前記着留兼カッター部のテープ着留面は外側に向けて下方傾斜されている請求項１に記載の粘着テープカッター装置。
【考案の詳細な説明】
【技術分野】
【０００１】  本考案は、テープカッターによる粘着テープの切断時において、その端部に不付着つまみ部を形成することのできる粘着テープカッター装置の改良に関する。
【背景技術】
【０００２】  物品への貼り付け、包装紙による貼り合わせ、あるいは梱包等に使用した粘着テープの剥がし取りを容易に行えるようにするため、最近では、粘着テープの切断に際し、その端部に不付着つまみが形成できる構造を備えたテープカッター装置が提案されている。【０００３】  例えば、特開２００６−２４８７７４（特許文献１）には、上方付勢された上下可動のカッター刃で粘着テープを切断した際、粘着テープは中間固定体の可動片と移動体の上面に付着しており、可動カッター刃の上方移動に連動する移動体が中間固定体側に移動することで、粘着テープを押し上げて粘着面を内側にして折り曲げられ、不付着部分を形成するような技術が提案されている。
【先行技術文献】
【０００４】
【特許文献１】特開２００６−２４８７７４
【考案の概要】
【考案が解決しようとする課題】
【０００５】  ところが、上記特許文献１の技術によると、粘着テープの切断の際にテープの粘着面が中間固定体の可動片に密着してしまって、テープの再度の引き出しにはテープをいちいち上方に引き上げて密着を解く必要があるため、作業性に問題があった。また、不付着部分の形成のためには、可動カッター刃、これと移動体との連動機構、この連動機構を作動させるためのガイド等が必要となるため、構造が極めて複雑となっていた。
【課題を解決するための手段】
【０００６】  上記課題を解決するための本考案による粘着テープカッター装置は、テープカッターのカッター部相当部位に、引き出した粘着テープの粘着面を上面で留めるテープ着留板を立設し、このテープ着留板の基部には、上面部にカッター刃とテープ着留面を備え、離反方向に弾発付勢された着留兼カッター部を前記テープ着留板に対し接離可能に枢着し、前記着留兼カッター部の離反位置での付勢力に抗する押圧で、前記テープ着留板と前記着留兼カッター部間にある前記粘着テープの粘着面をループ状に押し上げその端部に不付着つまみを形成することを特徴とするものである。【０００７】  前記テープ着留板の上面は、粘着テープの粘着面との接着面積を少なくしてその再引き出しをさらに容易にするため凹凸状に形成するのが好ましい。【０００８】  また、前記着留兼カッター部のテープ着留面は、着留兼カッター部を押圧した際に粘着テープを上方に押し上げループ形成し易くするため外側に向けて下方傾斜させるのが好ましい。
【考案の効果】
【０００９】    本考案の粘着テープカッター装置によれば、粘着テープを引き出してカッター刃で切断し、離反位置にある着留兼カッター部をテープ着留板側に押圧するだけで、粘着テープの粘着面はループ状に押し上げられて扁平接着し、テープ端部には容易に不付着つまみを形成することができる。そして、粘着テープの再度の引き出しの際、粘着テープはテープ着留板の上面に一時的に留まっているだけなので、引き出し作業も容易となる。さらに、本粘着テープカッター装置は、テープ着留板と着留兼カッター部の２つの要素だけで構成され、不付着つまみの形成も着留兼カッター部を押圧するだけという単純動作で実現することができる。
【図面の簡単な説明】
【００１０】
【図１】  本考案による粘着テープカッター装置の全体斜視図である。
【図２】  不付着つまみを形成した状態を示す図１における部分拡大斜視図である。
【図３】  不付着つまみを摘んで粘着テープを切断した状態を示す図１における部分拡大斜視図である。
【考案を実施するための形態】
【実施例】
【００１１】  以下に、本考案の好ましい実施例を図面に従って説明する。
図中、符号１は粘着テープ２の巻回部を保持するテープホルダーであり、このテープホルダー１には、粘着テープ２の巻回部を回転可能に取り付けた回転体３が取り付けられている。この回転体３はテープホルダー１に対して着脱可能である。【００１２】  テープホルダー１の前方でカッター部相当部位には、引き出した粘着テープ２をその粘着面で一時的に留めるテープ着留板４が立設されている。このテープ着留板４は、粘着テープ２の粘着面との密着を極力避けるため、その上面は、粘着テープ２の粘着面との接着面積を少なくするよう凹凸状に形成するのが好ましい。例えば、その上面に、複数条の直線溝あるいは無数の小突起等を形成しておくとよい。テープ着留板４の上面をこのように形成することで、粘着テープ２との接着性がさらに弱まり、テープの再引き出しもさらに容易となる。【００１３】  上記テープ着留板４の基部４ａには、着留兼カッター部５がテープ着留板４の板面に対して接離可能に枢着され、図示しない内臓の反発ばねにより離反方向に弾発付勢されている。着留兼カッター部５の離反位置は、同じく図示しない内臓のストッパにより相応の開放角度で規制されるように設定されており、その上面部にはカッター刃６及びテープ着留面７を備えている。テープ着留面７は水平面でもよいが、テープ着留板４側への移動の際、粘着テープ２を上方にさらに押し上げ易くするため外側に向けて下方傾斜面とするのが好ましい。そして、着留兼カッター部５をテープ着留板４との接触位置で止めておくため、着留兼カッター部５の両側面部には係合突起（又は係合凹部）８が、テープ着留板４側には係合凹部（又は係合突起）９がそれぞれ係合可能な状態で形成されている。【００１４】  粘着テープ２の端部に不付着つまみ１０を形成する手順は、以下の通りである。着留兼カッター部５は、通常、上記の図示しない弾発ばねにより離反位置にある。この状態で粘着テープ２を引き出し、その端部をカッター刃６で切断すると、粘着テープ２は、その粘着面がテープ着留板４の上面と着留兼カッター部５のテープ着留面７に着留し、図１の状態になる。次いで、着留兼カッター部５を矢印方向から上記弾発ばねの付勢力に抗して押圧すると、着留兼カッター部５はテープ着留板４と接触するが、この過程で粘着テープ２の端部はテープ着留面７の作用で上方に押し上げられ、その粘着面を内側にしてループ状になった後扁平となり、不付着つまみ１０が形成されることになる（図２参照。）。このとき、着留兼カッター部５の係合突起（又は係合凹部）８と、テープ着留部４側の係合凹部（又は係合突起）９が係合し、着留兼カッター部５はテープ着留板４との接触位置で止められる。そして、この不付着つまみ１０を持ち、粘着テープ２をテープ着留板４の上面とテープ着留面７から剥がし、適当な長さに引き出してカッター刃６で切断すれば、一端に不付着つまみ１０を有する粘着テープ２を切り出すことができる。この場合、テープ着留板４は薄いので、粘着テープ２は容易に剥がすことができる。以後に、不付着つまみ１０を形成したくなければ、この状態のままで粘着テープ２をカッター刃６で切断すればよい。また、不付着つまみ１０を連続して形成する場合には、テープ着留板４と着留兼カッター部５との係合を解除することで、着留兼カッター部５が上記弾発ばねの付勢力で離反位置に戻るので、前記同様の手順を繰り返し行なうことができる（図３参照。）。
【符号の説明】
【００１５】  １  テープホルダー
２  粘着テープ
４  テープ着留板
５  着留兼カッター部
６  カッター刃
７  テープ着留面
８  係合突起（係合凹部）
９  係合凹部（係合突起）
１０  不付着つまみ
【図１】
0003159386.tif 000003
【図２】
0003159386.tif 000004
【図３】
0003159386.tif 000005